(57)【要約】【課題】  一品で、一個掛け使用と二個掛け使用に兼用できるようにされた新規のフラスコ用クランプ装置を提供する。【解決手段】  フラスコを載せ置くための台部を下辺に有する枠本体と、該台部の上に置いたフラスコの上面を押圧するための押圧用バネ部を上辺に有する開閉枠と、該開閉枠を閉じ状態に維持するためのバックル部とを備え、上記枠本体はその台部が上方位置と下方位置を維持しうる構成にされ、該台部が上方位置にされた場合には同台部の上面と上記押圧用バネ部との間に一個のフラスコを挟み止めて装填しうるようにされ、また該台部が下方位置にされた場合には同台部の上面と上記押圧用バネ部との間に二個のフラスコを二段重ね状態で挟み止めて装填しうるようにされ、上記台部には上方位置および下方位置の状態保持装置が設けられたことを特徴とする。【選択図】  図２
0003120904.tif 000002
【実用新案登録請求の範囲】
【請求項１】
フラスコを載せ置くための台部を下辺に有する枠本体と、該台部の上に置いたフラスコの上面を押圧するための押圧用バネ部を上辺に有する開閉枠と、該開閉枠を閉じ状態に維持するためのバックル部とを備えたフラスコ用クランプ装置において、上記枠本体は、その台部が上方位置と下方位置を維持しうる構成にされ、該台部が上方位置にされた場合には同台部の上面と上記押圧用バネ部との間に一個のフラスコを挟み止めて装填しうるようにされ、また該台部が下方位置にされた場合には同台部の上面と上記押圧用バネ部との間に二個のフラスコを二段重ね状態で挟み止めて装填しうるようにされたことを特徴とするフラスコ用クランプ装置。
【請求項２】
上記の枠本体は、台部として機能する下辺の一端に一方上向辺を有し他端に他方上向辺を有する構成にされ、またこれら一方上向辺、他方上向辺はその中間で先端側部と基端側部に分けられ且つ該先端側部の下端に対して基端側部の上端を連結軸により回転可能に連結され、該基端側部が連結軸を中心として回転されて下向状態になったときには上記台部が上方位置になり、上向状態になったときには下方位置になるようにされたことを特徴とする請求項１記載のフラスコ用クランプ装置。
【請求項３】
上記の台部が上方位置になったときに相互に係合して該上方位置を保持し、下方位置になったときに相互に係合して該下方位置を保持するための状態保持装置を備えたことを特徴とする請求項１又は２記載のフラスコ用クランプ装置。
【請求項４】
上記の状態保持装置は、係合ボールを先端にもち該係合ボールの押し出し用コイルバネを内部にもつ押しネジと、該係合ボールの係合凹部により構成され、台部が上方位置になった時点と下方位置になった時点において係合ボールが係合凹部に係止する位置関係にして設けられたことを特徴とする請求項３記載のフラスコ用クランプ装置。
【考案の詳細な説明】
【技術分野】
【０００１】
本考案は、レジン製義歯製造用のフラスコ（flask）を挟み止めて装填するのに用いられるフラスコ用クランプ装置に関する。具体的には、一品で、一個掛け使用と二個掛け使用に兼用できるようにされたフラスコ用クランプ装置に関する。
【背景技術】
【０００２】
この種のフラスコ用クランプ装置は、たとえば、図８に示すようなレジン製義歯成形型となるフラスコ５１に使用される。このフラスコ５１は、３分割構造であり、上面が開口した下部型枠５２と、該下部型枠５２の上に重ねる上・下面が開口した上部型枠５３と、該上部型枠５３の上面開口を閉塞する蓋体５４とにより構成されている。
【０００３】
上記フラスコ５１は、次のようにしてレジン製義歯の作成に用いられる。先ず、下部型枠５２の中に予め用意した鑞材製の雄型５５の下半部を一段目石膏５６を充填して埋め込む。この一段目石膏５６が硬化した後に該一段目石膏５６の上面に分離液（図示せず）を塗布し、次に同雄型５５の突出状態になっている上半部に気泡発生防止のために硬質石膏の石膏泥を二段目石膏５７として塗布すると共にレジン溜り部形成のためにユーティリティワックス５８を載置する。そして二段目石膏５７の硬化の後に該二段目石膏５７の上面に分離液（図示せず）を塗布する。その後に下部型枠５２の上に上部型枠５３を載せると共に該上部型枠５３に三段目石膏５９を充填して雄型５５の上部を埋め込み、蓋体５４を被せる。
【０００４】
しかるのち、上記石膏充填済みのフラスコ５１を上記クランプ装置にセットして加圧状態にし、この加圧状態で三段目石膏５９を硬化させる。この硬化後、フラスコ５１を熱湯に浸漬することにより、雄型５５の鑞部分を加熱して軟化させる。その後、該フラスコ５１を開いて上記軟化した鑞を一塊として取り出す。これによりフラスコ５１内に石膏製の雌型（図示せず）を形成する。
【０００５】
上記のようにして作成された雌型は、次のようにしてレジン製義歯の製造に用いられる。すなわち、該雌型内にレジンを充填し、クランプ装置で上下方向から挟圧する。このとき、該挟圧により溢出したレジンを除去する。その後、クランプ装置を締め直してから温湯若しくは沸騰水による湿熱重合方式、又は電子レンジでマイクロ波を照射する乾熱重合方式により上記レジンを重合させ、よって上記鑞製の雄型と同形状のレジン製義歯を完成する。
【０００６】
従前、上記のようにレジン製義歯の型として用いられるフラスコ５１を挟み止めて装填するためのフラスコ用クランプ装置としては、特許文献１によって開示されている一個のフラスコを挟み止めて装填する一個掛けタイプや、特許文献２よって開示されている二個のフラスコを上下配置に重ねて同時に挟み止めて装填する二個掛けタイプ等が提供されている。
【０００７】
ところで、上下一対のフラスコを仕上げる場合、時間的制約から、一日目には片方のフラスコを可能なところまで仕上げ、次の日（もしくは後日）に当該一方および他方を仕上げるというような作業ペースになることが比較的多い。このような作業ペースは、特に技工士学校の学生に採用されていることが多い。専門の技工士にしても時間配分の都合から該作業ペースにすることが往々にあった。
【０００８】
しかしながら、上記のような作業ペースの場合には、一日目のフラスコに変形が生じてしまわないとは限らない。このようなことから通常は、一日目に片方のフラスコを一個掛けタイプのクランプで挟み止め装填して仕上げ、二日目に同様にして他方のフラスコを仕上げている。
【０００９】
つまり、二個掛けタイプのクランプ装置は、上記変形等の不安があるので、上記のように二日以上も掛けて行うような作業ペースには必ずしも向いているとは言えない。
【００１０】
ここで、二個のフラスコを仕上げる分として必要な一個掛けタイプの二つと二個掛けタイプの一つとを比較した場合には、明らかに前者の占有スペースの方が後者のそれよりも大きい。つまり、たとえば温湯若しくは沸騰水による湿熱重合方式や、電子レンジ利用のマイクロ波照射による乾熱重合方式で処理する場合や、使用しない時に格納する場合、移動搬送する場合には、占有スペースの小さい後者の方が有利である。また、一個掛けタイプ及び二個掛けタイプの両方を保有していて適宜使用する場合には、それぞれ区別して管理する必要があって煩わしく不便である。しかも、経済的（経費的）および保管スペース的には、一個掛けタイプのクランプを多く揃えて管理するよりも少数で済む二個掛けタイプのクランプの方を多く揃えて管理した方が煩わしさも少なく有利である。また、上記湿熱重合方式または乾熱重合方式で処理するときには、その装置の処理室内には二個掛けタイプのクランプを以て二個のフラスコを挟み止めて装填した方がより多くのフラスコを収容して処理することができる等の好適さがある。
【特許文献１】実開平２−１４１４３０号公報
【特許文献２】実用新案登録第３１１５８５８号公報
【考案の開示】
【考案が解決しようとする課題】
【００１１】
そこで、本考案は、上記のような実情に鑑み、上記のような作業ペースの使用等に適する新規の二個掛けタイプのフラスコ用クランプ装置を提供することを目的とする。
【課題を解決するための手段】
【００１２】
上記目的を達成するために、本考案に係るフラスコ用クランプ装置は、フラスコを載せ置くための台部を下辺に有する枠本体と、該台部の上に置いたフラスコの上面を押圧するための押圧用バネ部を上辺に有する開閉枠と、該開閉枠を閉じ状態に維持するためのバックル部とを備え、上記枠本体は、その台部が上方位置と下方位置を維持しうる構成にされ、該台部が上方位置にされた場合には同台部の上面と上記押圧用バネ部との間に一個のフラスコを挟み止めて装填しうるようにされ、また該台部が下方位置にされた場合には同台部の上面と上記押圧用バネ部との間に二個のフラスコを二段重ね状態で挟み止めて装填しうるようにされたことを特徴とする。
【００１３】
したがって、本考案に係るフラスコ用クランプ装置は、これに一個のフラスコを装填したい場合には、先ず開閉枠を開き状態にし且つ台部を上方位置にし、その後に該上方位置の台部の上に一個のフラスコを載せると共に開閉枠を閉じてバックル部を係止状態にする等の要領で容易にできる。また二個のフラスコを装填したい場合には、先ず開閉枠を開き状態にし且つ台部を下方位置にし、その後に該下方位置の台部の上に二個のフラスコを二段重ねの状態に載せると共に開閉枠を閉じてバックル部を係止状態にする等の要領で容易にできる。そして、フラスコを外したい場合にはバックル部の係止を解消して開閉枠を開く要領によりできる。なお、上記装填状態時の一個および二個のフラスコは、押圧用バネ部の固有の弾性による定圧で加圧される。
【００１４】
さらに、上記の枠本体は、台部として機能する下辺の一端に一方上向辺を有し他端に他方上向辺を有する構成にされ、またこれら一方上向辺、他方上向辺は、その中間で先端側部と基端側部に分けられ且つ該先端側部の下端に対して基端側部の上端を連結軸により回転可能に連結され、該基端側部が連結軸を中心として回転されて下向状態になったときには上記台部が上方位置になり、上向状態になったときには下方位置になるようにされたことを特徴とする。したがって、兼用タイプを容易に構成できる。
【００１５】
また、上記の台部には、上方位置になったときに相互に係合して該上方位置を保持し、下方位置になったときに相互に係合して該下方位置を保持するための状態保持装置を設けたので、上記したような要領で該台部の上にフラスコを載せ置く場合および開閉枠を開閉する場合には、同台部が上記状態保持装置の機能により安定した状態を維持するから、該載せ置き操作および開閉操作が容易に失敗なくできる。
【００１６】
しかも、上記の状態保持装置は、係合ボールを先端にもつ押しネジと該係合ボールの係合凹部により構成され、台部が上方位置になった時点、下方位置になった時点において係合ボールが係合凹部に係止するようにされたことを特徴とするので、台部を正しい上方の位置にする操作および下方位置にする操作は容易にできる。
【考案の効果】
【００１７】
本考案によれば、一個のフラスコを挟み止めて装填する使用にも、二個のフラスコを挟み止めて装填する使用にも対処できる兼用タイプのフラスコ用クランプ装置を容易に提供できる。また、本考案のフラスコ用クランプ装置は、二個掛けタイプで有りながら、上記したように、一個掛けタイプとしての使用、二個掛けタイプとしての使用に兼用可能であるので、上記作業ペースに支障なく利用でき、時間的制約を受ける技工士学校の学生や時間配分から制約を受ける専門の技工士には好適である。
【００１８】
しかも、本考案に係るフラスコ用クランプ装置は、上記したように、二個掛けタイプであるので、上記変形等の不安を解消できるのみならずたとえば、温湯若しくは沸騰水による湿熱重合方式や電子レンジ利用のマイクロ波照射による乾熱重合方式で処理する場合、使用しない時に格納する場合、移動搬送する場合には、一個掛けタイプの二つに比べて少ない占有スペースで足りるから有益である。
【００１９】
さらに、上記のように一個掛けタイプのフラスコ用クランプ装置を兼ね果たすことが可能であるから、技工士学校のように多数個を所有し保管する立場にあるところでは、一個掛けタイプのクランプ装置の数を少なく若しくは所有しないようにすることで、区別・管理の煩わしさを軽減できる。しかも、上記経済的（経費的）および保管スペース的問題の軽減化に貢献できる。
【００２０】
また、本考案に係るフラスコ用クランプ装置は、上記したように、二個掛けタイプで使用可能であるので、湿熱重合方式または乾熱重合方式で処理するときには、その装置の処理室内には二個のフラスコを二段重ねに挟み止めて装填した状態でより多くのフラスコを収容・処理することができるものであり、従前の二個掛けタイプのクランプ装置と遜色の無いスペースの有効利用ができる。
【考案を実施するための最良の形態】
【００２１】
以下、本考案に係る実施の形態を図１〜図７に基づいて説明する。図１は全体を示す斜視図であり、図２は図１AーA線に沿う断面図であり、図３は図１BーB線に沿う断面図であり、図４は図１CーC線に沿う断面図であり、図５は二個掛けで使用している状態を示す一部切截正面図であり、図６は一個掛けで使用している状態を示す一部切截正面図であり、図７は開閉枠の半開の状態を示す正面図である。なお、図８は石膏充填済みのフラスコを示す断面図である。
【００２２】
この実施の形態に係るフラスコ用クランプ装置１は、石膏充填済みのフラスコ若しくはレジン充填済みのフラスコ（以下、充填済みフラスコ２、３と記す）を載せ置くための台部４を下辺５に有するＵの字形状の枠本体６と、該台部４の上に置いたフラスコ２の上面を押圧するための押圧用バネ部７を上辺の下面に有する逆さ向きＵの字形状の開閉枠８と、該開閉枠８を上記枠本体６に開閉自在に取り付ける蝶番９と、該開閉枠８を閉じ状態に維持するためのバックル部１０とを備えたものであって、上記枠本体６は、台部４として機能する下辺５の一端に一方上向辺１１を有し他端に他方上向辺１２を有する構成にされ、またこれら一方上向辺１１、他方上向辺１２はその中間で基端側部１３a、１３bと先端側部１４a、１４bとに分けられ且つ該基端側部１３a、１３bの上端に対して先端側部１４a、１４bの下端を連結軸１５a、１５bにより回転可能に連結され、該基端側部１３a、１３bが連結軸１５a、１５bを中心として回転されて下向状態になったときには上記台部４が一個の充填済みフラスコ２を挟み止めて装填しうる上方位置になり、上向状態になったときには同台部４の上面と上記押圧用バネ部７との間に二個の充填済みフラスコ２、３を二段重ね状態で挟み止めて装填しうる下方位置になるようにされている。
【００２３】
また、開閉枠８は、上辺１６の一端に一方下向辺１７が折設され、他端に他方下向辺１８が折設された構成にされ、また上記一方上向辺１１の上端と一方下向辺１７の下端は蝶番９により連結され、よって開閉枠８は枠本体６に対して開閉自在に取付けられている。
【００２４】
また、上記の連結軸１５a、１５bによる連結部１９a、１９bには、台部４が上方位置になったときに相互に係合して該上方位置を保持し、下方位置になったときに相互に係合して該下方位置を保持するための状態保持装置２０a、２０bを備えている。
【００２５】
上記の状態保持装置２０a、２０bは、係合ボール２１を先端にもち該係合ボール２１の押し出し用コイルバネ２２を内部にもつ押しネジ２３と、該係合ボール２１の係合凹部２４a、２４bにより構成され、台部４が上方位置になった時点と下方位置になった時点において係合ボール２１が係合凹部２４a、２４bに係止する位置関係にして設けられている。なお、上記押しネジ２３は、六角頭２５付きにされ、ナット２６でロックしうるようにしてある。また、この押しネジは、他の例えば頭無しのスリ割り付き虫ネジタイプ、外から見えない埋め込みタイプ等にすることは自由である。
【００２６】
また、上記押圧用バネ部７は、両端部分が下方に湾曲された板バネ２７を備え、該板バネ２７は開閉枠８の上辺１６に対して支持部２８により、充填済みフラスコ２、３の押圧時には中央部２９の上面が開閉枠８の上辺１６の内面に圧接し、両端湾曲部３０a、３０bの下面が上位の充填済みフラスコ２の上面に圧接する状態に支持されている。なお、この板バネ２７の支持は、左右のピン３１a、３１bにより自由に動くことができるが抜落はしないようにされている。上記板バネは、その両端湾曲部の下面がフラスコの上面に圧接して当該フラスコを平均に加圧できる。
【００２７】
さらに、バックル部１１は、掛具３３及び受具３４からなり、掛け外し型である。掛具３３は上記他方上向辺１３の上端部の外面に固定され、受具３４は上記他方下向辺１５の下端部の外面に固定されている。なお、図中符号３２は、開閉枠８が閉じ状態にされたときに他方下向辺１８の先端部外面に嵌合して同開閉枠８のズレを阻止する一対の小片を示す。
【００２８】
上記掛具３３は、軸承部材３５とトグルレバー３６と該トグルレバー３６の起伏操作により作動するフック部材３７から構成され、そしてトグルレバー３６の基端は第１軸３８により軸承部材３５に支承され、フック部材３７の基端はトグルレバー３６の基端寄り個所に第２軸３９により支承されている。また、受具３４は、軸承部材４０と該軸承部材４０内に横架された引掛軸４１とから構成されている。
【００２９】
上記掛具３３は、トグルレバー３６が倒伏操作されたときにはフック部材３７が引掛軸４１に係止する方向に作動し、同トグルレバー３６が起立操作されたときには外れる方向に作動するようにされ、且つ同フック部材３７の支承部には次に説明するような、外力を受けない限りその状態を維持するための維持部４２が設けられている。
【００３０】
この維持部４２は、トグルレバー３６の側面壁４３、４４の内面とフック部材３７の側面壁４５，４６の外面との間に一対のスプリングワッシャ４７、４８を上記第２軸３９に挿し通した状態で挟入することにより構成され、該スプリングワッシャ４７，４８とトグルレバー３６の側面壁４３，４４の内面及びフック部材３７の側面壁４５，４６の外面との摩擦力で維持機能を発揮するようにされている。なお、この維持部４２は、フック部材３７が外力を受けない限りそのまま状態を維持するようにする手段であればよく、適宜の他の手段で実施することができる。
【００３１】
なお、本考案は、図に示すように、温湯若しくは沸騰水による処理作業や、場所移動作業を施す等のときに使用するための取っ手４９を開閉枠８の上面に設けてある。かかる取っ手４９は、上記使用の場合、特に温湯若しくは沸騰水で処理する場合には、該取っ手４９に吊下げ用フックを引っ掛けて作業したり、紐を予め結び着けておいてこれを持って作業したりするような使い方、すなわち温湯若しくは沸騰水により熱くなった取っ手４９に直に手を触れない使い方を可能にするものであって、安全性の確保に好適である。
【００３２】
すなわち、上記実施の形態に係るフラスコ用クランプ装置１は、たとえばフラスコ内に石膏製の雌型を形成する用途、及びレジンを重合させて鑞製の雄型と同形状のレジン製義歯を完成する用途に使用できるように構成されたものである。
【００３３】
ここで、上記実施の形態に係るフラスコ用クランプ装置１を用いて１個の充填済みフラスコ２に温湯処理等を施す場合に行う、充填済みフラスコ２の装填手順及びその外し手順について説明する（図６参照）。
【００３４】
すなわち、フラスコ用クランプ装置１に充填フラスコ２を装填するには、先ず上記基端側部１３a、１３bの先端を下向きにして台部４を上方位置にし且つ開閉枠８を開き状態にしてから台部４の上に一個の充填済みフラスコ２を載せたのち開閉枠８を閉じ方向に回転させて閉じる。しかし、この閉じ操作の場合、板バネ２７の両端湾曲部３０a、３０bが上位の充填フラスコ２の上面に当接して開閉枠８を僅かに開いた状態で止まるようになる（図７参照）ので、そこで、開閉枠８を一方の手で押し下げて全閉状態にしつつ他方の手指を使ってフック部材３７の鉤部３７aを引掛軸４１に掛け止めると共にそのまま同他方の手指をトグルレバー３６の方に移動して当該トグルレバー３６を倒伏状態にすることで掛具３３と受具３４を掛け止め状態にする。よってフラスコ２を板バネ２４の弾性により加圧された状態に装填する。この装填完了後に熱湯等に浸漬して温湯処理を施す。
【００３５】
また、上記温湯処理後の充填フラスコ２を上記フラスコ用クランプ装置１から外すには、先ずトグルレバー３６に起立操作を加える。この場合、トグルレバー３６の起立動作に伴って開閉枠９が板バネ２７の弾性により開き方向に作動し始めると共に掛け止め状態になっている引掛軸４１及びフック部材３７の鉤部３７aを引き上げる。するとフック部材３７全体が引き上げられてトグルレバー３６を起し方向に回転させる動作を始めるが、その直後に両者が互いに邪魔をする関係になってロック状態になり、上記開閉枠９の開き方向作動を停止させる。したがって、開閉枠９が板バネ２７の弾性により勢いよく開いてしまう危険な状態を回避できる。そして、この回避後に板バネ２７の弾性に抗する戻し操作を開閉枠８に加えて引掛軸４１をフック部材３７の鉤部３７a内から脱する方向に移動させる。すると僅かに戻したところで引掛軸４１が上記鉤部３７a内から脱し、トグルレバー３６及びフック部材３７が上記維持部４２による維持機能で一体状態すなわちトグルレバー３６とフック部材３７が上記ロック状態の角度を維持したままの一体状態でトグルレバー３６が自重により倒伏の方向に回転してフック部材３７が外し状態になる。このようにトグルレバー３６が倒伏状態になり且つフック部材３７が外し状態になったところで開閉枠８を全開の状態にして充填フラスコ２を抜き外す。
【００３６】
次いで、上記実施の形態に係るフラスコ用クランプ装置１を用いて二個の充填済みフラスコ２、３に温湯処理等を施す場合に行う、充填済みフラスコ２、３の装填手順及びその外し手順について説明する（図２参照）。
【００３７】
すなわち、フラスコ用クランプ装置１に充填フラスコ２、３を装填するには、先ず上記基端側部１３a、１３bの先端を上向きにして台部４を下方位置にし且つ開閉枠８を開き状態にしてから台部４の上に二個の充填済みフラスコ２を積重ねて載せ、その後は上記一個の充填済みフラスコ２の装填のときと同様の操作を行えばよく、また外すときも同様にすればよい。
【図面の簡単な説明】
【００３８】
【図１】全体を示す斜視図である。
【図２】図１AーA線に沿う断面図である
【図３】図１BーB線に沿う断面図である。
【図４】図１BーB線に沿う断面図である。
【図５】二個掛けで使用している状態を示す一部切截正面図である。
【図６】一個掛けで使用している状態を示す一部切截正面図である。
【図７】開閉枠の半開状態を示す同断面図である。
【図８】石膏充填済みのフラスコを示す断面図である。
【符号の説明】
【００３９】
１  実施の形態に係るフラスコ用クランプ装置
２、３  充填済みフラスコ
４  台部
５  下辺
６  枠本体
７  押圧用バネ部
８  開閉枠
９  蝶番
１０  バックル部
１１  一方上向辺
１２  他方上向辺
１３a、１３b  基端側部
１４a、１４b  先端側部
１５a、１５b  連結軸
１６  上辺
１７  一方下向辺
１８  他方下向辺
１９a、１９b  連結部
２０a、２０b  状態保持装置
２１  係合ボール
２２  押し出し用コイルバネ
２３  押しネジ
２４a、２４b  係合凹部
２５  六角頭
２６  ナット
２７  板バネ
２８  支持部
２９  中央部
３０a、３０b  両端湾曲部
３１a、３１b  左右のピン
３２  小片
３３  掛具
３４  受具
３５  軸承部材
３６  トグルレバー
３７  フック部材
３８  第１軸
３９  第２軸
４０  軸承部材
４１  引掛軸
４２  維持部
４３、４４  側面壁
４５、４６  側面壁
４７、４８  スプリングワッシャ
４９  取っ手
５１フラスコ
５２下部型枠
５３上部型枠
５４蓋体
５５雄型
５６一段目石膏
５７二段目石膏
５８ユーティリティワックス
５９三段目石膏
【図１】
0003120904.tif 000003
【図２】
0003120904.tif 000004
【図３】
0003120904.tif 000005
【図４】
0003120904.tif 000006
【図５】
0003120904.tif 000007
【図６】
0003120904.tif 000008
【図７】
0003120904.tif 000009
【図８】
0003120904.tif 000010